(57)【特許請求の範囲】
【請求項１】
人体感知するための感知部を収納した上カバーと、
前記感知部に基づいて電磁弁が開いてピストンバルブが上昇することにより水を排出して便器の洗浄を開始するバルブ本体と、
前記バルブ本体を収納した下カバーと、より構成される自動フラッシュバルブにおいて、
前記上カバーと前記下カバーの取付部は、各カバーの前後方向及び左右方向に対して線対称であり、
前記バルブ本体の給水管と排水管とを前記下カバーに形成した一つの開口から取り出しており、
前記開口は、前記給水管及び前記排水管の中心線に対して斜めに形成したことを特徴とする自動フラッシュバルブ。
【発明の詳細な説明】
【０００１】
【発明の属する技術分野】
本発明は、自動フラッシュバルブに関するものであり、特に自動フラッシュバルブのカバーに関するものである。
【０００２】
【従来の技術】
従来、フラッシュバルブとしての自動フラッシュバルブのカバーは、図２２から図２４に示すように前カバー５０と後カバー５１より構成され、前カバー５１に人体感知用のセンサー５２を設けると共に後カバー５１にはフラッシュバルブ本体５３を取付けている。このため前後方向に方向性があるため、図２２に示すような自動フラッシュバルブが右給水用と、図２３に示すような左給水用で別々にカバー５４と５５が存在していた。
【０００３】
【発明が解決しようとする課題】
しかし、上記従来の自動フラッシュバルブでは、右給水用と左給水用とでカバーを共用できなかったため、右給水用と左給水用とで別々にカバーを品揃えする必要があった。本発明は、上記課題を解決するためになされたものであり、本発明の目的は、右給水用と左給水用とで別々にカバーを品揃えしなくてもよい自動フラッシュバルブを提供することにある。
【０００４】
【課題を解決するための手段】
そこで、本発明の自動フラッシュバルブでは、人体感知するための感知部を収納した上カバーと、前記感知部に基づいて電磁弁が開いてピストンバルブが上昇することにより水を排出して便器の洗浄を開始するバルブ本体と、前記バルブ本体を収納した下カバーと、より構成される自動フラッシュバルブにおいて、前記上カバーと前記下カバーの取付部は、各カバーの前後方向及び左右方向に対して線対称であり、前記バルブ本体の給水管と排水管とを前記下カバーに形成した一つの開口から取り出しており、前記開口は、前記給水管及び前記排水管の中心線に対して斜めに形成した。
【０００５】
【発明の実施の形態】
図１から図１８に本発明の第１実施例を示す。図１は右給水用の自動フラッシュバルブを示し、図２には左給水用の自動フラッシュバルブを示している。図３は図２の上カバーを外した状態の平面図である。図４は図２の縦断面図であり。図５は側面部分断面図である。図１のカバー１の下カバー２と上カバー３と図２の下カバー２と上カバー３は同一のものである。図１の下カバー２の方向を１８０度回転させると、図２の下カバー２となる。図１の上カバー３はそのままの状態で図２の上カバーとなる。下カバー２の上カバー３との接合面４は図３に示すように楕円形に形成されており、前後、左右が対称となっている。このため１８０度回転させても同一の楕円形である。
【０００６】
図４において自動フラッシュバルブ５はピストンバルブ６と、フラッシュバルブ５を自動洗浄するため人体感知用のセンサーコントローラ２８と自動洗浄用の電磁弁７と、バイパス流路部材８と手動操作部材９と、カバー１で構成される。人体感知用のセンサーコントローラ２８は人が立ち去った後、電磁弁７を開けてフラッシュバルブ５のピストン圧力室１０の水をバイパス流路１１を介してバルブ本体１２の二次側流路１３へ自動的に排出する。電磁弁７が開き、ピストン圧力室１０の水が抜けるとバルブ本体１２の一次側流路１４からの水圧によりピストンバルブ６を上昇させることでピストンバルブ６が全開し、バルブ本体１２の一次側流路１４と二次側流路１３が連通し、便器の洗浄を開始する。
【０００７】
便器の洗浄が終わると、センサーコントローラー２８の信号により電磁弁７が閉じ、ピストン圧力室１０にピストンバルブ６の通孔１５から水が流入することによりピストンバルブ６が下降し、ピストン圧力室１０が一次圧となり、ピストンバルブ６が閉じ、バルブ本体１２の一次側流路１４と二次側流路１３を遮断する。手動操作部材９は電磁弁７が停電、故障等により自動洗浄が行えない場合に使用するものである。従来公知の押しボタン式のフラッシュバルブと同様に手動操作部材９を押すとピストンバルブ６に設けたバルブ６ａを開き、ピストン圧力室１０内の水を抜き、バルブ本体１２の一次側流路１４からの水圧によりピストンバルブ６を上昇させることでピストンバルブ６が全開し、バルブ本体１２の一次側流路１４と二次側流路１３が連通し、便器の洗浄を開始する。
【０００８】
カバー１の上カバー３に人体感知するためのセンサーコントローラ２８を収納し、上カバー３の前面に感知部１６を設けている。また、下カバー２にバルブ本体１２を収納する。上カバー３は、前後の方向性が有り、下カバー２は方向性を持たない構造とする。上カバー３と下カバー２の取付部を、各カバーの前後方向及び左右方向に対して線対称にする。このため、下カバー２を１８０度回転させても、上カバー３をそのままの状態で取付けることができる。下カバー２の左側には開口６０が設けられており、また、下カバー２は前後に分割された前カバー６１後カバー６２から構成されている。
【０００９】
下カバー２の取付け面４の全周には取付け部材１８を突設し、左右に雌ねじ１９、２０を設けている。上カバー３の取付け面２７の下カバー２の左右の雌ねじ１９、２０に対応する部分には凹部２１、２２を設けてビス２３、２４が挿通する孔２５、２６を設けている。下カバー２の取付け面４の取付け部材１８の外面に上カバー３の下部の内面に嵌合させ、上カバー３の凹部２１、２２の孔２５、２６を介してビス２３、２４を下カバー２の雌ねじ１９、２０にねじ込むことにより、下カバー２に上カバー３を固定する。固定位置も各カバーの前後方向及び左右方向に対して線対称の位置に設けることにより、下カバー２を１８０度回転させても、上カバー３をそのままの状態で取付け、固定することができる。
【００１０】
カバー１をバルブ本体１２を収納するように取付けるには、バルブ本体１２の取付部材６３に下カバー２の前カバー６１と後カバー６２をそれぞれ前後より係止し、ビス６４、６５で固定する。その後、下カバー２の取付け面４の取付け部材１８の外面に上カバー３の下部の内面に嵌合させ、上カバー３の凹部２１、２２の孔２５、２６を介してビス２３、２４を下カバー２の雌ねじ１９、２０にねじ込むことにより、下カバー２に上カバー３を固定する。
【００１１】
図６に下カバー２の前カバー６１の正面図、図７に同平面図、図８に右側面図、図９に図６のＡ−Ａ線断面図を示している。図１０に下カバー２の後カバー６２の正面図、図１１に同平面図、図１２に右側面図、図１３に図１０のＢ−Ｂ線断面図を示している。下カバー２の前カバー６１の接合面７０には接合凹部７１が設けられ、下カバー２の後カバー６２の接合面７２には接合凸部７３が設けられ、接合凹部７１と接合凸部７３を前後から嵌合することにより下カバーとして一体化する。更に下カバー２の前カバー６１の接合面７０の下部には固定用突起７４が設けられ雌ねじが形成され、下カバー２の後カバー６２の接合面７２の下部には固定用突起７５が設けられ雌ねじが形成されている。下カバー２の前カバー６１と下カバー２の後カバー６２とを接合した状態で固定用突起７５と固定用突起７４が上下に重なり雌ねじにビス７６を螺着することにより下カバーとして一体化する。
【００１２】
下カバー２の前カバー６１と下カバー２の後カバー６２の左側には開口６０を形成するための切欠き７６と切欠き７７とが設けられている。また、下カバー２の前カバー６１と下カバー２の後カバー６２の右側には手動操作部材９が挿通する挿通孔７８を形成するための半円の切欠き７９と８０が設けられている。本実施例の場合、開口６０を斜めに設けることにより、給水管５６と排水管５７の取り出しを一つの開口により、下カバー２の前カバー６１と下カバー２の後カバー６２の製作が簡略化されると共に、バルブ本体への取付が容易になる。
【００１３】
図１４に上カバー３の正面図、図１５に同平面図、図１６に右側面図、図１７に図１４のＣーＣ線断面図、図１８に図１５のＤーＤ線断面図を示している。上カバー３の正面中央にはセンサーコントローラー６の感知部１６を設置するための感知部用開口８１が設けられ、内側にはンサーコントローラー２８を固定するための固定部８２が設けられている。
【００１４】
図１９から図２１に本発明の第２実施例をしめす。カバー３１の下カバー３２と上カバー３３の取付け面３４、３５を長方形形状にしたものであり、下カバー３２を１８０度回転させても上カバー３３をそのままの状態で取付けることができる。取付け構造等は第一実施例と同様である。
【００１５】
上カバーと下カバーの取付け面の形状は楕円や長方形に限らず、各カバーの前後方向及び左右方向に対して線対称にする形状であればどんな形状でもよい。
【００１６】
【発明の効果】
本発明は上記構成により次の効果を発揮する。
請求項１記載の本発明では、上カバーと下カバーの取付部を、各カバーの前後方向及び左右方向に対して線対称にしたため、下カバーに対し上カバーが前後両方向に取付可能であり、右給水・左給水どちらの取付方向でも、上カバーの前面（人体感知センサー面）を組み替えることで対応が可能である。すなわち、方向性のある上カバーが前後方向逆に取付可能となり、右給水用、左給水用別々に品揃えする必要が無い。従って、現場でも右給水・左給水別に手配する必要が無くなり、手配の手間、間違いによるトラブルを省ける。また、前記バルブ本体部の給水管と排水管とを前記下カバーに形成した一つの開口から取り出すため、カバーの製作が簡略化されると共に、バルブ本体部への取付が容易になる。また、前記開口を給水管及び排水管の中心線に対して斜めに形成したため、カバーの製作が簡略化されると共に、バルブ本体部への取付が容易になる。
【図面の簡単な説明】
【図１】本発明の第１実施例で、右給水用フラッシュバルブに適用した状態を示す正面図。
【図２】左給水用フラッシュバルブに適用した状態を示す正面図。
【図３】図２の上カバーを外した状態の平面図。
【図４】図２の正面断面図。
【図５】図２の側面断面図。
【図６】下カバーの前カバーの正面図、
【図７】同平面図、
【図８】同右側面図、
【図９】図６のＡ−Ａ線断面図を示している。
【図１０】下カバーの後カバーの正面図、
【図１１】同平面図、
【図１２】右側面図。
【図１３】図１０のＢ−Ｂ線断面図。
【図１４】上カバーの正面図。
【図１５】同平面図。
【図１６】同右側面図。
【図１７】図１４のＣーＣ線断面図。
【図１８】図１５のＤーＤ線断面図
【図１９】本発明の第２実施例で、左給水用フラッシュバルブに適用した状態で上カバーを外したを示す平面図。
【図２０】本発明の第２実施例で、左給水用フラッシュバルブに適用した状態示す正面断面図。
【図２１】同右側面断面図。
【図２２】従来の左給水用フラッシュバルブの斜視図。
【図２３】従来の右給水用フラッシュバルブの斜視図。
【図２４】従来の側面断面図。
【符号の説明】
１…カバー
２…下カバー
３…上カバー
４、２７、３４、３５…取付け面
１６…感知部
２８…センサーコントローラー
【図１】
0004006866.tif 000002
【図２】
0004006866.tif 000003
【図３】
0004006866.tif 000004
【図４】
0004006866.tif 000005
【図５】
0004006866.tif 000006
【図６】
0004006866.tif 000007
【図７】
0004006866.tif 000008
【図８】
0004006866.tif 000009
【図９】
0004006866.tif 000010
【図１０】
0004006866.tif 000011
【図１１】
0004006866.tif 000012
【図１２】
0004006866.tif 000013
【図１３】
0004006866.tif 000014
【図１４】
0004006866.tif 000015
【図１５】
0004006866.tif 000016
【図１６】
0004006866.tif 000017
【図１７】
0004006866.tif 000018
【図１８】
0004006866.tif 000019
【図１９】
0004006866.tif 000020
【図２０】
0004006866.tif 000021
【図２１】
0004006866.tif 000022
【図２２】
0004006866.tif 000023
【図２３】
0004006866.tif 000024
【図２４】
0004006866.tif 000025